(57)【要約】      （修正有）【課題】外枠と内枠とを回転可能に係合している軸部が、使用している内に外れてしまう危険性のない点検口を提供する。【解決手段】外枠材２１の内側面２２に当接し、ねじ挿通孔が穿設される固定部６２と、軸受け筒部５３の開口を塞ぐ軸抜け止め突部６４と、固定部と軸抜け止め突部とを塞ぐ中間部６５とよりなる軸抜け止め部材６１と、軸抜け止め部材のねじ挿通孔と重なる位置に設けられる第１のねじ孔と、軸受け５１とは重ならない位置に並設する第２のねじ孔とが設けられた板状の固定部材６６と、よりなる軸抜け止め機構６を設けることにより、軸部３３が回動により外れないようにする。【選択図】図１
0003172042.tif 000002
【実用新案登録請求の範囲】
【請求項１】
建物の天井面や壁面に開設される開口に嵌挿固定される方形状の外枠と、前記外枠の対向する二辺の端部側にそれぞれ設けられる回動部材を介して前記外枠に対して回動可能に軸支される方形状の内枠とを具備し、
前記回動部材は、前記外枠を構成する外枠材の対向する内側面に装着される固定基部の表面に、装着状態において室外側の側方が開口する軸受け筒部を突設した軸受けと、前記内枠のコーナー部の外側面に突設された軸部とよりなる点検口であって、
前記外枠材の内側面に当接し、ねじ挿通孔が穿設される固定部と、前記軸受け筒部の開口を塞ぐ軸抜け止め突部と、前記固定部及び前記軸抜け止め突部とを連結する中間部とよりなる軸抜け止め部材と、前記軸抜け止め部材の前記ねじ挿通孔と同心位置に螺設される第１のねじ孔と、該第１のねじ孔の近傍に螺設される第２のねじ孔とが設けられ、前記外枠の外側面に取り付けられた板状の固定部材とよりなる軸抜け止め機構を備え、
前記第１及び第２のねじ孔と対応するように設けられる前記外枠の第１及び第２の挿通孔を介して、前記軸抜け止め部材を前記固定部材の前記第１のねじ孔に内側面から着脱可能にねじ固定すると共に、前記固定部材と前記外枠材とを第２のねじ孔によりねじ固定するようにしたことを特徴とする、点検口。
【考案の詳細な説明】
【技術分野】
【０００１】
本考案は、設備点検などのために建物の天井面や壁面に設けられる点検口に関し、更に詳細には、点検口の軸抜け止め機構に関する。
【背景技術】
【０００２】
建物の天井や壁（内装）の外側（内装と躯体の間）の空間には、配水管や配電設備等が通っており、これらをメンテナンスするための点検口が適宜位置に設けられている。
【０００３】
従来この種の点検口としては、例えば特許文献１に開示されているように、外枠と、この外枠に嵌入する内枠と、この内枠の開口を閉じるように内枠に取り付けられた蓋板とからなり、内枠は左右両側部の上端近傍部において外側に水平に突出する軸を外枠の左右両側部の上端近傍部内側に設けた軸受け部材に支持することにより、水平軸心の周りで回動して外枠に対して開閉できるものが知られている。
【先行技術文献】
【特許文献】
【０００４】
【特許文献１】特開２０１１−０１７１７８号公報
【考案の概要】
【考案が解決しようとする課題】
【０００５】
しかしながら、上記の従来の構成によると、内枠の左右両側部の上端近傍部において外側に水平に突出する軸を、外枠の左右両側部の上端近傍部内側に設けた軸受け部材に支持するのみで、軸受け部材の軸を受け入れる部分は開口した状態となっているため、開閉時の外力の方向によっては内枠が外れる危険性を有するものである。
【課題を解決するための手段】
【０００６】
上記課題を解決すべく、本考案の請求項１に記載の点検口は、建物の天井面や壁面に開設される開口に嵌挿固定される方形状の外枠と、前記外枠の対向する二辺の端部側にそれぞれ設けられる回動部材を介して前記外枠に対して回動可能に軸支される方形状の内枠とを具備し、前記回動部材は、前記外枠を構成する外枠材の対向する内側面に装着される固定基部の表面に、装着状態において室外側の側方が開口する軸受け筒部を突設した軸受けと、前記内枠のコーナー部の外側面に突設された軸部とよりなる点検口であって、前記外枠材の内側面に当接し、ねじ挿通孔が穿設される固定部と、前記軸受け筒部の開口を塞ぐ軸抜け止め突部と、前記固定部及び前記軸抜け止め突部とを連結する中間部とよりなる軸抜け止め部材と、前記軸抜け止め部材の前記ねじ挿通孔と同心位置に螺設される第１のねじ孔と、該第１のねじ孔の近傍に螺設される第２のねじ孔とが設けられ、前記外枠の外側面に取り付けられた板状の固定部材とよりなる軸抜け止め機構を備え、前記第１及び第２のねじ孔と対応するように設けられる前記外枠の第１及び第２の挿通孔を介して、前記軸抜け止め部材を前記固定部材の前記第１のねじ孔に内側面から着脱可能にねじ固定すると共に、前記固定部材と前記外枠材とを第２のねじ孔によりねじ固定するようにしたことを特徴とするものである。
【考案の効果】
【０００７】
以上のように、軸抜け止め機構を設けることにより、軸部が軸受け筒部の開口から脱出してしまうことはなく、内枠と外枠とを結合する回動部材の結合状態の解除が防止されるので、安全に使用することができる。
【０００８】
また、軸抜け止め部材を、内枠側からねじ固定するようにしたため、より広い開口が必要であったり、内枠や蓋材の修理などで内枠を外す必要がある時に、第１の固定ねじの螺合を解除して軸抜け止め部材を外すことで、外枠を天井面や壁面の開口部に固定したままで内枠を外すことができると共に、固定部材は第２の固定ねじとの螺合により外枠の外側面に残っているため、再び内枠を戻し、軸抜け止め部材を取り付ける際も容易に作業を行うことができる。
【図面の簡単な説明】
【０００９】
【図１】図１は本考案による点検口の軸周辺部を示す断面図である。
【図２】図２は図１におけるＡ−Ａ’断面図である。
【図３】図３は本考案における点検口の軸周辺部を示す斜視図である。
【考案を実施するための形態】
【００１０】
以下、本考案を実施するための形態を、図を用いて説明する。
本実施形態においては、壁面に点検口を設ける壁点検口について説明する。
【００１１】
各図において、壁点検口１は、建物の壁面Ｗに開設される開口部Ｏに嵌挿固定される方形状の外枠２と、前記外枠２に嵌め込まれ、内部を蓋材４により閉塞される方形状の内枠３と、よりなり、外枠２と内枠３とは、回動部材５を介して連結され、内枠３は回動することにより開閉可能に設けられる。
【００１２】
外枠２は、アルミニウムを押出成形して形成される外枠材21の両端部を斜め４５°に切断し、方形状となるように組み合わせた四隅部に、アングル状の金属板からなる外枠コーナーピース材23を接合することによって構成される。
【００１３】
更に、外枠２を構成する外枠材21の対向する内側面22に、軸受け51が装着される。軸受け51は、外枠材21の内側面22に固定される固定基部52と、固定基部52の表面に、装着状態において屋外側の側方が開口する軸受け筒部53が突設されている。図に見られるように、固定基部52は平面視略直角三角形状に形成され、斜辺の両端の二角の内、外枠２の隅部側に軸受け筒部53が突設されると共に、他方は段差状に切り欠かれている。軸受け筒部53は、装着状態において屋外側（躯体側）の側方が開口する略Ｃ字状に形成されており、開口端には突起が設けられて、軸部33が簡易的に係合するようにされている。
【００１４】
また、外枠２の内側面22の軸受け51が取り付けられる部位よりも図面上において下方の位置に、後述する軸抜け止め機構６を固定するための挿通孔が二つ穿設される。第１の挿通孔24は、装着状態において屋外側に、第２の挿通孔25は、装着状態において屋内側に、それぞれ平行に併設される。
【００１５】
内枠３は、前記外枠２と同様に、アルミニウムを押出成形して形成される内枠材31の両端部を斜め４５°に切断し、方形状となるように組み合わせた四隅部に、アングル状の金属板からなる内枠コーナーピース材32を接合することによって構成される。内枠コーナーピース材32の内、対向する二隅部に設けられるものには、外枠２より突設される軸受け突部53と同心となるように、軸部33が突設されている。前記軸受け51と、軸部33とにより、回動部材５が構成される。回動部材５が設けられる反対側の辺には、外枠２と内枠３とを閉止状態に保持する図示しないロック部材が設けられる。
【００１６】
前記の構成により、壁面Ｗに固定された外枠２に対し、内枠３及び蓋板４を開閉可能に設けることは可能であるが、例えば開閉時の力の入れすぎなどの要因により、軸部33と軸受け51の係合が解除されてしまうおそれがあり、使用上危険なので、軸抜け止め機構６が設けられる。
【００１７】
軸抜け止め機構６は、金属薄板を曲げ加工して形成される軸抜け止め部材61と、外枠２の内側面22に穿設された第１及び第２の挿通孔24，25と同心となるように第１及び第２のねじ孔67，68が設けられた長方形状の金属板材である固定部材66と、それぞれのねじ孔63，64に螺合される第１及び第２の固定ねじ69，70とより構成される。
【００１８】
軸抜け止め部材61は、外枠２の内側面22に当接しつつ、ねじ挿通孔63が形成された固定部62と、軸受け筒部53の開口部を閉鎖する軸抜け止め突部64と、固定部62と軸抜け止め突部64とを連結する中間部65とよりなる。中間部65は、固定基部52の段差状に切り欠かれた部分から、斜辺にかけての部分を覆うように形成されており、二辺を挟むように形成されていることから、取付時の位置合わせを容易なものとしている。
【００１９】
固定部材66は、外枠２の厚さ方向の長さよりもやや短く形成される長方形の板材であり、第１及び第２のねじ孔67，68は、それぞれバーリング加工を施すと共に内面にねじ溝を螺設することにより形成される。
【００２０】
軸抜け止め機構６の取付手順としては、次の通りとなる。
【００２１】
壁面Ｗの開口部Ｏへの取付け前に、まず外枠２の外側面に固定部材66を固定する。外枠２の内側面22側から、第２の固定ねじ70を、第２の挿通孔25を介して挿通し、固定部材66の第２のねじ孔68に螺合することで、固定される。なお、このとき既に軸受け51は取り付けられている。
【００２２】
次に、壁面Ｗの開口部Ｏに外枠２を嵌入し、ねじ固定する。壁面Ｗの裏面側には、開口部Ｏに沿って図示しない補強材が設けられており、外枠を介して補強材に対してねじを打つことで、強固に固定される。
【００２３】
壁面Ｗに固定された外枠２に対し、内枠３を取り付ける。すなわち、外枠２に設けられる軸受け51の軸受け筒部53に、内枠３より突出する軸部33を係合させる。内枠３の内部には、予め蓋材４が嵌め込まれている。蓋材４としては、周囲の壁面Ｗと同一の壁材を使用することで、違和感なく取り付けることができる。一般的には、開口部Ｏを形成する際に切断された壁材を使用することで、材料の無駄なく施工することができる。
【００２４】
ここまでで、外枠２と内枠３とが、回動部材５により連結された。この状態において、内枠３を開放した状態として、軸抜け止め部材61を取り付ける。軸抜け止め部材61の中間部65を、軸受け51の固定基部52の段差状に切り欠かれた部分から、斜辺にかけての部分を覆うようにして位置合わせを行い、固定部62のねじ挿通孔63及び第１の挿通孔24を介して、第１の固定ねじ69を第１のねじ孔67に螺合する。前述の通り、中間部65は、固定基部52の二辺を挟むように形成されていることから、取付時の位置合わせを容易なものとしている。
【００２５】
これにより、壁点検口１の取付が完了する。第１の固定ねじ69を取り外すことにより、軸抜け止め部材61を取り外すことができ、更に内枠３が着脱可能となるため、施工後に、使用していく内に内枠３や蓋材４に汚れや損傷などが生じたとしても、外枠２を壁面Ｗに残した状態で、内枠３及び蓋材４のメンテナンスを行うことができるようになる。第１の固定ねじ69を取り外しても、第２の固定ねじ70により、固定部材66は外枠２に固定された状態が保持されるので、軸抜け止め部材61を再度取り付けることが可能となる。
【００２６】
なお、本実施形態においては、本考案の点検口１を壁面Ｗにおいて使用する場合について記載したが、天井など、点検口が設けられる箇所において実施することにより、同様の効果を発揮することが可能となる。
【産業上の利用可能性】
【００２７】
本考案は、建物の天井面や壁面に設けられる点検口であり、更に詳細には、点検口の軸抜け止め機構に関するものである。
【符号の説明】
【００２８】
Ｗ      壁面
Ｏ      開口部
１      壁点検口
２      外枠
21      外枠材
22      内側面
23      外枠コーナーピース材
24      第１の挿通孔
25      第２の挿通孔
３      内枠
31      内枠材
32      内枠コーナーピース材
33      軸部
４      蓋材
５      回動部材
51      軸受け
52      固定基部
53      軸受け筒部
６      軸抜け止め機構
61      軸抜け止め部材
62      固定部
63      ねじ挿通孔
64      軸抜け止め突部
65      中間部
66      固定部材
67      第１のねじ孔
68      第２のねじ孔
69      第１の固定ねじ
70      第２の固定ねじ
【図１】
0003172042.tif 000003
【図２】
0003172042.tif 000004
【図３】
0003172042.tif 000005